(57)【要約】      （修正有）【課題】電気掃除機等の電力を供給する電源コードの先端に設けた差込みプラグがコンセントに挿入接続された状況において、遠隔からの操作で容易に差込みプラグをコンセントから離脱させることが可能な差込みプラグ装置および差込みプラグ離脱装置を提供する。【解決手段】差込みプラグ本体２の両側面に枢着突起部を設置し、一対の離脱レバーを回動自在に枢着するとともに離脱レバーの突き出し部が差込みプラグ本体を離脱する方向に付勢するばね体を介装する。ばね体に抗して回動させた離脱レバーを係止する離脱レバー係止部材１０は、差込みプラグ本体に揺動可能に可撓部１３を介して枢着されている。コンセントに差し込まれた差込みプラグ本体から連なる電源コード１５を同長手方向に対して直角方向に動かし、キャッチャ部１２を介して離脱レバー係止部材を揺動させることにより、離脱レバーの係止が解除され差込みプラグ装置１はコンセントから離脱する。【選択図】図２
2013065513.tif 000002
【特許請求の範囲】
【請求項１】
電気機器装置の電源コードの先端に設けた差込みプラグ装置であって、
前記差込みプラグ装置がコンセントに挿入された状態から前記差込みプラグ装置の離脱方向に突出する突き出し部と押圧部とからなる離脱レバーと、
前記差込みプラグ装置が前記コンセントから離脱する方向に前記離脱レバーを付勢するばね体と、
前記ばね体に抗して回動した前記離脱レバーを係止する係止部と前記電源コードの長手方向に対して直角方向の動きを受止めるキャッチャ部とを有する離脱レバー係止部材と、
前記離脱レバーを回動可能に支持するとともに前記離脱レバー係止部材を揺動可能に枢着した差込みプラグ本体からなり、
前記電源コードの長手方向に対して直角方向の動きが前記離脱レバー係止部材の前記キャッチャ部に作用して前記ばね体に抗して回動した前記離脱レバーを係止している前記離脱レバー係止部材の前記係止部が外れることにより前記離脱レバーが回動し前記差込みプラグ装置が前記コンセントから離脱する差込みプラグ装置。
【請求項２】
電気機器装置の電源コードの先端に設けた差込みプラグの差込みプラグ離脱装置であって、
前記差込みプラグが前記差込みプラグ離脱装置を介してコンセントに挿入された状態から前記差込みプラグの離脱方向に突出する突き出し部と押圧部とからなる離脱レバーと、
前記差込みプラグ離脱装置を介した前記差込みプラグが前記コンセントから離脱する方向に前記離脱レバーを付勢するばね体と、
前記ばね体に抗して回動した前記離脱レバーを係止する係止部と前記電源コードの長手方向に対して直角方向の動きを受止めるキャッチャ部とを有する離脱レバー係止部材と、
前記離脱レバーを回動可能に支持するとともに前記離脱レバー係止部材を揺動可能に枢着した差込みプラグ保持部材からなり、
前記電源コードの長手方向に対して直角方向の動きが前記離脱レバー係止部材の前記キャッチャ部に作用して前記ばね体に抗して回動した前記離脱レバーを係止している前記離脱レバー係止部材の前記係止部が外れることにより前記離脱レバーが回動し前記差込みプラグが前記差込みプラグ離脱装置を介して前記コンセントから離脱する差込みプラグ離脱装置。
【発明の詳細な説明】
【技術分野】
【０００１】
本発明は、コンセントに挿入接続される差込みプラグ装置および差込みプラグ離脱装置に関するものである。
【背景技術】
【０００２】
電気掃除機等の電力を供給する電源コードの先端に設けた差込みプラグをコンセントに挿入接続し使用した後に、前記差込みプラグを前記コンセントから引き抜く場合には、比較的大きな力を必要とする上、遠隔での操作で引き抜くことができない。
【０００３】
上述の改善策として、特許文献１に記載の差込プラグはプラグ本体の左右両側部に枢支部を介したピックアップレバーを装着させ、前記ピックアップレバーを摘むことによって、容易に差し込みプラグをコンセントから引き抜くことができるが、遠隔での操作により差込みプラグを離脱させることはできない。
【０００４】
遠隔での操作で差込みプラグを離脱させるために、前記電源コードを介して引張り力を加えると多大な力を必要とするため、電源コードの導線が差込みプラグとの結線部分において引きちぎられたり、プラグから外れたりする恐れがある。
【０００５】
特許文献２に記載の差込プラグ装置は、遠隔から差込みプラグに接続されている電源コードを引張ることによってあらかじめ圧縮されたスプリング圧力を係止した係止部材を外すことにより、プラグ本体をコンセントから引き抜くことを可能にしている。
【０００６】
しかしながら、上記差込みプラグ装置は多くの部品点数を必要とされているため複雑な構成となっている。その上、電源コードを引っ張った時に前記差込みプラグがコンセントから離脱するため、電気掃除機等の作業において、不用意に電源コードが引っ張られた場合にも差込みプラグ装置がコンセントから離脱することになり、再度差込みプラグ装置をコンセントに接続する必要が起き、かえって面倒になることもある。
【先行技術文献】
【特許文献】
【０００７】
【特許文献１】特開平９−３２０６８９号公報
【特許文献２】特開平１０−２７６５０号公報
【発明の概要】
【発明が解決しようとする課題】
【０００８】
コンセントに接続されている差込みプラグ装置を容易に、かつ遠隔から離脱させることが可能で、しかも部品点数が少なく簡単な機構で構成できる差込みプラグ装置を提供することである。
【課題を解決するための手段】
【０００９】
本願の請求項１に記載された発明は、電気機器装置に電源を供給する電源コード１５の先端に設けた差込みプラグ装置１であって、前記差込みプラグ装置１がコンセント１６に挿入された状態から差込みプラグ装置１の離脱方向に突出する突き出し部４ａ、４ｂと押圧部５ａ、５ｂとからなる離脱レバー３ａ、３ｂと、差込みプラグ装置１がコンセント１６から離脱する方向に離脱レバー３ａ、３ｂを付勢するばね体８ａ、８ｂと、ばね体８ａ、８ｂに抗して回動した離脱レバー３ａ、３ｂを係止する係止部１１と電源コード１５の長手方向に対して直角方向の動きを受止めるキャッチャ部１２とを有する離脱レバー係止部材１０と、離脱レバー３ａ、３ｂを回動可能に支持するとともに離脱レバー係止部材１０を揺動可能に枢着した差込みプラグ本体２からなり、電源コード１５の長手方向に対して直角方向の動きが離脱レバー係止部材１０のキャッチャ部１２に作用してばね体８ａ、８ｂに抗して回動した離脱レバー３ａ、３ｂを係止している離脱レバー係止部材１０の係止部１１が外れることにより離脱レバー３ａ、３ｂが回動し差込みプラグ装置１がコンセント１６から離脱する差込みプラグ装置１である。
【００１０】
本願の請求項２に記載された発明は、電気機器装置に電源を供給する電源コード１５の先端に設けた差込みプラグ２３の差込みプラグ離脱装置２１であって、差込みプラグ２３が差込みプラグ離脱装置２１を介してコンセント１６に挿入された状態から差込みプラグ２３の離脱方向に突出する突き出し部４ａ、４ｂと押圧部５ａ、５ｂとからなる離脱レバー３ａ、３ｂと、差込みプラグ離脱装置２１を介した差込みプラグ２３がコンセント１６から離脱する方向に離脱レバー３ａ、３ｂを付勢するばね体８ａ、８ｂと、ばね体８ａ、８ｂに抗して回動した離脱レバー３ａ、３ｂを係止する係止部１１と電源コード１５の長手方向に対して直角方向の動きを受止めるキャッチャ部１２とを有する離脱レバー係止部材１０と、離脱レバー３ａ、３ｂを回動可能に支持するとともに離脱レバー係止部材１０を揺動可能に枢着した差込みプラグ保持部材２２からなり、電源コード１５の長手方向に対して直角方向の動きが離脱レバー係止部材１０のキャッチャ部１２に作用してばね体８ａ、８ｂに抗して回動した離脱レバー３ａ、３ｂを係止している離脱レバー係止部材１０の係止部１１が外れることにより離脱レバー３ａ、３ｂが回動し差込みプラグ２３が差込みプラグ離脱装置２１を介してコンセント１６から離脱する差込みプラグ離脱装置２１である。
【発明の効果】
【００１１】
本発明によれば、差込みプラグ装置１もしくは差込みプラグ離脱装置２１を介した差込みプラグ２３において、一対の離脱レバー３ａ、３ｂの押圧部５ａ、５ｂをつまんで離脱レバー係止部材１０の係止部１１にて係止した後にコンセント１６に差し込めば、差込みプラグ装置１もしくは差込みプラグ離脱装置２１を介した差込みプラグ２３に連なる電源コード１５を同長手方向に対して直角方向に動かしキャッチャ部１２を介して離脱レバー係止部材１０を揺動させることにより、離脱レバー３ａ、３ｂの係合突起部６ａ、６ｂと嵌合している係止部１１が外れ、差込みプラグ装置１もしくは差込みプラグ離脱装置２１を介した差込みプラグ２３はコンセント１６から離脱する。
【００１２】
コンセント１６に接続されている差込みプラグ装置１もしくは差込みプラグ離脱装置２１を介した差込みプラグ２３を容易に、かつ遠隔から離脱させることが可能となる。しかも部品点数が少なく簡単な機構で構成できる差込みプラグ装置を提供することができる。
【図面の簡単な説明】
【００１３】
【図１】本発明の差込みプラグ装置の斜視図（実施例１）
【図２】図１の分解斜視図
【図３】コンセントに差し込まれた差込みプラグ装置の平面図（実施例１）
【図４】図３の側面図
【図５】コンセントから離脱した差込みプラグ装置の平面図（実施例１）
【図６】図５の側面図
【図７】本発明の差込みプラグを組み込んだ差込みプラグ離脱装置の斜視図（実施例２）
【図８】図７の分解斜視図
【発明を実施するための形態】
【００１４】
以下、本発明の実施形態について、添付の図面に基づいて詳細に説明する。なお、各図の説明において同一の要素には同一の符号を付す。
【実施例１】
【００１５】
図１は、本発明の実施例１に関わる差込みプラグ装置１で、図２は同じく差込みプラグ装置１の分解斜視図である。差込みプラグ本体２の先端に接続端子２４を有し、接続端子２４とは反対側に電源コード１５が設けられており、差込みプラグ本体２の両側面には２対の枢着突起部１４ａ、１４bが設置されている。離脱レバー３ａ、３ｂは、差込みプラグ本体２の枢着突起部１４ａ、１４bに回動自在に枢着され、離脱レバー３ａ、３ｂの突き出し部が差込みプラグ本体２を離脱する方向に付勢するばね体８ａ、８ｂが介装されている。
【００１６】
ばね体８ａ、８ｂに抗して回動させた離脱レバー３ａ、３ｂを係止または解除する離脱レバー係止部材１０は、離脱レバー３ａ、３ｂの係合突起部６ａ、６ｂと嵌合する係止部１１と電源コード１５の長手方向に対する直角方向の動きを受け止めるキャッチャ部１２とで構成されており、差込みプラグ本体２に揺動可能に可撓部１３を介して枢着されている。
【００１７】
上記構成において、離脱レバー３ａ、３ｂをばね体８ａ、８ｂに抗して回動させ、係合突起部６ａ、６ｂと係止部１１を嵌合させた状態の差込みプラグ装置１をコンセント１６に差し込んだ状況の平面図を図３に、また同側面図を図４に示す。
【００１８】
差込みプラグ装置１がコンセント１６に差し込まれた状況で、差込みプラグ本体２から連なる電源コード１５を同長手方向に対して直角方向に動かし、キャッチャ部１２を介して離脱レバー係止部材１０を揺動させることにより、離脱レバー３ａ、３ｂの係合突起部６ａ、６ｂと嵌合している係止部１１が外れ、差込みプラグ装置１はコンセント１６から離脱する状況の平面図を図５に、また同側面図を図６に示す。
【００１９】
本実施例によれば、差込みプラグ装置１において、一対の離脱レバー３ａ、３ｂの押圧部５ａ、５ｂをつまんで離脱レバー係止部材１０の係止部１１にて係止した後にコンセント１６に差し込めば、差込みプラグ装置１に連なる電源コード１５を同長手方向に対して直角方向に動かしキャッチャ部１２を介して離脱レバー係止部材１０を揺動させることにより、差込みプラグ装置１はコンセント１６から離脱させることができる。
【実施例２】
【００２０】
図７は、本発明の実施例２に関わる差込みプラグ離脱装置２１を介した差込みプラグ２３の斜視図で、図８は同じく差込みプラグ離脱装置２１を介した差込みプラグ２３の分解斜視図である。差込みプラグ保持部材２２の両側面には２対の枢着突起部１４ａ、１４bが設置されている。離脱レバー３ａ、３ｂは、差込みプラグ保持部材２２の枢着突起部１４ａ、１４bに回動自在に枢着され、離脱レバー３ａ、３ｂの突き出し部が差込みプラグ離脱装置２１を介した差込みプラグ２３を離脱する方向に付勢するばね体８ａ、８ｂが介装されている。
【００２１】
ばね体８ａ、８ｂに抗して回動させた離脱レバー３ａ、３ｂを係止または解除する離脱レバー係止部材１０は、離脱レバー３ａ、３ｂの係合突起部６ａ、６ｂと嵌合する係止部１１と電源コード１５の長手方向に対する直角方向の動きを受け止めるキャッチャ部１２とで構成されており、差込みプラグ保持部材２２に揺動可能に可撓部１３を介して枢着されている。
【００２２】
上記構成において、離脱レバー３ａ、３ｂをばね体８ａ、８ｂに抗して回動させ、係合突起部６ａ、６ｂと係止部１１を嵌合させた状態の差込みプラグ保持部材２２を介した差込みプラグ２３をコンセント１６に差し込んだ状況で、差込みプラグ２３から連なる電源コード１５を同長手方向に対して直角方向に動かし、キャッチャ部１２を介して離脱レバー係止部材１０を揺動させることにより、離脱レバー３ａ、３ｂの係合突起部６ａ、６ｂと嵌合している係止部１１が外れ、差込みプラグ離脱装置２１を介した差込みプラグ２３はコンセント１６から離脱する。
【００２３】
本実施例によれば、実施例１と同様に差込みプラグ離脱装置２１を介した差込みプラグ２３において、一対の離脱レバー３ａ、３ｂの押圧部５ａ、５ｂをつまんで離脱レバー係止部材１０の係止部１１にて係止した後にコンセント１６に差し込めば、差込みプラグ離脱装置２１を介した差込みプラグ２３に連なる電源コード１５を同長手方向に対して直角方向に動かしキャッチャ部１２を介して離脱レバー係止部材１０を揺動させることにより、差込みプラグ離脱装置２１を介した差込みプラグ２３はコンセント１６から離脱させることができる。
【産業上の利用可能性】
【００２４】
広いエリアで電気掃除機等を使った作業をする場合、一ヶ所のコンセントに差込みプラグを接続するだけでは広い作業範囲をカバーできないことが多く、複数のコンセントに差込みプラグを付け替えての作業を余儀なくされる。これまでの差込みプラグでは、コンセントに差し込まれたプラグを外すためには、一旦コンセント位置まで戻る必要があるばかりか、状況によっては腰を屈める必要があった。
【００２５】
本発明の差込みプラグ装置もしくは差込みプラグ離脱装置を介した差込みプラグは、一々コンセント位置まで戻る必要がなく遠隔にて差込みプラグをコンセントから離脱することが可能となるため、作業効率が高まるだけでなく、腰を屈める必要がないため疲労低減にも寄与することが期待できる。
【符号の説明】
【００２６】
１  差込みプラグ装置
２  差込みプラグ本体
３a、３b  離脱レバー
４a、４b  突き出し部
５a、５b  押圧部
６a、６b  係合突起部
７a、７b  枢着孔
８a、８b  ばね体
１０  離脱レバー係止部材
１１  係止部
１２  キャッチャ部
１３  可撓部
１４a、１４b  枢着突起部
１５  電源コード
１６  コンセント
２１  差込みプラグ離脱装置
２２  差込みプラグ保持部材
２３  差込みプラグ
２４a、２４b  接続端子
【図１】
2013065513.tif 000003
【図２】
2013065513.tif 000004
【図３】
2013065513.tif 000005
【図４】
2013065513.tif 000006
【図５】
2013065513.tif 000007
【図６】
2013065513.tif 000008
【図７】
2013065513.tif 000009
【図８】
2013065513.tif 000010